(57)【要約】【課題】普通電動役物５３および大入賞口５４を上下に並べて配置してなる弾球遊技機において、普通電動役物５３への集球率を高めることと大入賞口５４への集球率を高めることとの両立を、センター表示装置４１が大型化する傾向であっても容易に実現できるようにする。【解決手段】遊技盤１１と、センター表示装置４１と、始動口７２および羽根部材５３ａ，５３ｂを有した普通電動役物５３と普通電動役物５３の下側部分に並べて配置され、入球口９２、および羽根部材５４ａ，５４ｂを有した大入賞口５４と、を備え、羽根部材５３ａ，５３ｂは、始動口７２の左右に配置された１対の羽根部材にて構成されたチューリップ式である弾球遊技機において、普通電動役物５３の少なくとも一部に、大入賞口５４に向けて遊技球を通過させるトンネル通路７４，７５を設ける。【選択図】        図６
2006149529.tif 000002
【特許請求の範囲】
【請求項１】
遊技球が流下する遊技領域を形成する遊技盤と、
前記遊技盤の中央に配置されて表示を行うセンター表示装置と、
前記遊技盤に配置され、遊技球を前記遊技盤の裏面に導く通路の入口となる第１入球口、および前記第１入球口の開口幅を拡大縮小させる第１可変部材を有した第１入球ユニットと、
前記遊技盤のうち前記第１入球ユニットの下側部分に並べて配置され、遊技球を前記遊技盤の裏面に導く通路の入口となる第２入球口、および前記第２入球口の開口幅を拡大縮小させる第２可変部材を有した第２入球ユニットと、
を備え、
前記第１可変部材が、前記第１入球口の左右に配置された１対の羽根部材にて構成されたチューリップ式である弾球遊技機において、
前記第１入球ユニットの少なくとも一部に、前記遊技盤の表面に沿って延び、前記第２入球口に向けて遊技球を通過させるトンネル通路を設けることを特徴とする弾球遊技機。
【請求項２】
前記トンネル通路を構成する壁面に、前記トンネル通路内を遊技者が視認可能となる透視窓を設けたことを特徴とする請求項１に記載の弾球遊技機。
【請求項３】
前記第２可変部材が、前記第２入球口の左右に配置された１対の羽根部材にて構成されたチューリップ式であることを特徴とする請求項１または２に記載の弾球遊技機。
【請求項４】
前記第１入球ユニットには前記遊技盤の表面に面接触するブラケット板が備えられており、
該第１入球ユニットは、前記遊技盤の第１開口部に嵌め込まれるとともに、前記ブラケット板を前記遊技盤にネジ締結することで前記遊技盤に固定されており、
前記ブラケット板の一部が、前記トンネル通路を構成する壁面の一部として機能していることを特徴とする請求項１ないし３のいずれか１つに記載の弾球遊技機。
【発明の詳細な説明】
【技術分野】
【０００１】
本発明は、可変部材にて拡大縮小される入球口を上下に並べて配置した構成の弾球遊技機に関するものである。
【背景技術】
【０００２】
従来、特許文献１等に記載の弾球遊技機では、第１入球ユニットとしての普通電動役物と第２入球ユニットとしての大入賞口とを遊技盤上にて上下に並べて配置している。このような配置により、遊技者がハンドル操作して遊技球を発射させるにあたり、第１入球ユニットに遊技球を寄せたいときと第２入球ユニットに寄せたいときとでハンドル位置を大きく変更操作しなくても済むようにすることを図っている。
【０００３】
上記第１入球ユニットは、遊技球を遊技盤の裏面に導く通路の入口となる第１入球口と、第１入球口の開口幅を拡大縮小させる羽根部材（第１可変部材）とから構成され、上記第２入球ユニットは、遊技球を遊技盤の裏面に導く通路の入口となる第２入球口と、第２入球口の開口幅を拡大縮小させる蓋部材（第２可変部材）とから構成されている。なお、上述した第１，第２入球口の「開口幅」は、「遊技機の認定及び型式の検定等に関する規則」にて規定された計測方法による寸法のことであり、例えば、図１６に示す形状の入球ユニットの場合には、符号Ｌ１に示す寸法（羽根部材を最大に開いた際の羽根先端部を結ぶ直線距離）が第１入球口の開口幅として計測され、符号Ｌ２に示す寸法（釘Ｋ１および釘Ｋ２の内側寸法）が第２入球口の開口幅として計測される。
【特許文献１】特開２００１−１２９１７２号公報
【特許文献２】特開２００１−７０５２８号公報
【発明の開示】
【発明が解決しようとする課題】
【０００４】
ここで、一般的に、上記入球口に遊技球が集まり難い（集球率が低い）構造にしてしまうと、入球ユニットの存在が希薄化してしまうなど、遊技の興趣性が低下してしまう恐れがある。従って、第１および第２入球口のいずれにおいても、集球率が高い構造にすることが望まれている。
【０００５】
しかしながら、特許文献１に記載の如く両入球ユニットを上下に並べて配置した場合には、第１入球ユニットの下側に位置する第２入球ユニットの第２入球口には、第１入球ユニットが障害物となって遊技球が集まり難くなってしまうという問題がある。具体的には、図１６の場合第２入球口２９２の開口幅Ｌ２が６２．６ｍｍであるのに対し、第２入球口２９２に入球するために通過を余儀なくされる遊技経路Ｒ１´の幅Ｌ３は１２．５ｍｍであり、該遊技経路Ｒ１´は２つあるため、実質的な第２入球口２９２への経路幅は２５ｍｍとなっている。
【０００６】
また、第１入球口２７２開放時の第１入球口２７２への集球率を高める方法として、図１７の符号Ｒ２´に示す遊技経路の流下量を増加させることが挙げられるが、第２入球口２９２への集球率を高めるために遊技経路Ｒ３´の流下量を増加させると、遊技経路Ｒ２´の流下量が減少してしまうため、第１入球口２７２開放時の第１入球口２７２への集球率が低下してしまい、両入球口２７２，２９２に対して集球率を高めることが困難になるといった問題がある。
【０００７】
これらの問題に対し、第２入球口２９２の開口幅Ｌ２を大きく設定したり、両入球ユニット２５３，２５４の間隔を大きく設定するといった手段によって解決を図ろうとすると、近年では、遊技盤２１１の中央に配置された液晶等によるセンター表示装置２４１が大型化の傾向にあるため、上記手段の実施は困難となる。すなわち、大型のセンター表示装置２４１が配置された遊技盤２１１においては、第２入球口２９２の開口幅Ｌ２を大きくするためのスペースを遊技盤２１１上に確保することや、両入球ユニット２５３，２５４の間隔を大きく設定するためのスペースを遊技盤２１１上に確保することが困難となる。
【０００８】
本発明は、上記点に鑑み、第１および第２入球ユニットを上下に並べて配置してなる弾球遊技機において、第１入球口への集球率を高めることと第２入球口への集球率を高めることとの両立を、センター表示装置が大型化する傾向であっても容易に実現できるようにすることを課題とする。
【課題を解決するための手段】
【０００９】
前記課題を解決するため請求項１に記載の発明は、
遊技球が流下する遊技領域を形成する遊技盤と、前記遊技盤の中央に配置されて表示を行うセンター表示装置と、前記遊技盤に配置され、遊技球を前記遊技盤の裏面に導く通路の入口となる第１入球口、および前記第１入球口の開口幅を拡大縮小させる第１可変部材を有した第１入球ユニットと、前記遊技盤のうち前記第１入球ユニットの下側部分に並べて配置され、遊技球を前記遊技盤の裏面に導く通路の入口となる第２入球口、および前記第２入球口の開口幅を拡大縮小させる第２可変部材を有した第２入球ユニットと、を備え、前記第１可変部材が、前記第１入球口の左右に配置された１対の羽根部材にて構成されたチューリップ式である弾球遊技機において、
前記第１入球ユニットの少なくとも一部に、前記遊技盤の表面に沿って延び、前記第２入球口に向けて遊技球を通過させるトンネル通路を設けることを特徴とする弾球遊技機である。
なお、上記第１，第２入球口の「開口幅」は、「遊技機の認定及び型式の検定等に関する規則」にて規定された計測方法による寸法のことであり、例えば、図１６に示す形状の入球ユニットの場合には、符号Ｌ１に示す寸法（羽根部材を最大に開いた際の羽根先端部を結ぶ直線距離）が第１入球口の開口幅として計測され、符号Ｌ２に示す寸法（釘Ｋ１および釘Ｋ２の内側寸法）が第２入球口の開口幅として計測される。
【００１０】
請求項２記載の発明は、請求項１に記載の弾球遊技機において、前記トンネル通路を構成する壁面に、前記トンネル通路内を遊技者が視認可能となる透視窓を設けたことを特徴とする。
【００１１】
ここで、上記「透視窓」は、遊技者が前記トンネル通路内を視認可能となる構成であればよいため、前記トンネル通路壁面に設けたスリット等の開口部にて構成してもよいし、前記トンネル通路壁面に設けた透光性部材（例えば非結晶性合成樹脂としてのポリスチレン、ポリエチレン、アクリル等）による透光部にて構成としてもよい。なお、透光部にて透視窓を構成する場合には、トンネル通路壁面のうち透視窓に相当する部分だけ透光部にて構成してもよいし、トンネル通路壁面全体を透光部にて構成してもよい。また、透視窓に相当する部分だけ透光部にて構成する場合には、トンネル通路壁面のうち透光部と他の部分とを別々に樹脂成形して、該成形後に接着材やスナップフィット等にて透光部と他の部分とを組み付けるようにしてもよいし、透光部と他の部分とを２色成形にて一体的に樹脂成形するようにしてもよい。
【００１２】
請求項３記載の発明は、請求項１または２に記載の弾球遊技機において、前記第２可変部材が、前記第２入球口の左右に配置された１対の羽根部材にて構成されたチューリップ式であることを特徴とする。
【００１３】
請求項４記載の発明は、請求項１ないし３のいずれか１つに記載の弾球遊技機において、前記第１入球ユニットには前記遊技盤の表面に面接触するブラケット板が備えられており、該第１入球ユニットは、前記遊技盤の第１開口部に嵌め込まれるとともに、前記ブラケット板を前記遊技盤にネジ締結することで前記遊技盤に固定されており、前記ブラケット板の一部が、前記トンネル通路を構成する壁面の一部として機能していることを特徴とする。
【発明の効果】
【００１４】
請求項１に記載の発明によれば、第１入球ユニットの少なくとも一部に、前記第２入球口に向けて遊技球を通過させるトンネル通路を設ける構成としたため、第２入球口の開口幅を大きく設定したり、両入球ユニットの間隔を大きく設定するといったことを行わずに、第２入球口への集球率を高めることができる。しかも、第１入球口へ通じる遊技経路（図１７の符号Ｒ２´にて例示される遊技経路）の流下量を減少させることなく、第２入球口への集球率を高めることができる。以上により、本発明によれば、第１入球口への集球率を高めることと第２入球口への集球率を高めることとの両立を、遊技盤に配置されたセンター表示装置が大型化する傾向であっても容易に実現できる。因みに、図１７に示すゲージ構成の例では、符号Ｒ２´にて例示される遊技経路を流下する遊技球は第１入球口が開放している時にのみ入球可能に構成されており、開放していない時には遊技経路Ｒ２´の上方に位置する経路（ワープ通路出口４４ｃ）から流下した遊技球のみが入球可能となる。
【００１５】
請求項２に記載の発明によれば、遊技者はトンネル通路を通過する遊技球の動きを透視窓から目視できるため、トンネル通路に入った遊技球の行方が第２入球口に向かうものであることを、遊技者に対して分かりやすくでき、トンネル通路に入った遊技球が第１入球口に導かれたと間違って見誤ることを抑制できる。なお、透視窓は、トンネル通路壁面にスリットを形成することで実現してもよいし、トンネル通路壁面の材質を光透過度の高い（例えば９０％以上）材質にすることで実現してもよい。また、光透過度の低い半透明の材質を採用する場合には、トンネル通路の裏面側に発光ダイオード等の光源を設け、遊技者が遊技球の通過を影の移動によって視認可能となるように構成してもよく、該光源からの光が透視窓から漏れ出てくるように構成すれば、斬新な見栄えにでき、好適である。
【００１６】
ところで、一般に、入球口の左右に１対の羽根部材を配置してなるチューリップ式と、入球口を閉塞、開放する蓋部材を配置してなるアタッカー式とでは、入球ユニットの遊技盤への設置スペースを同じとした場合において、チューリップ式の方が入球口の開放幅は小さくなる。よって、請求項３に記載の発明の如く第２可変部材がチューリップ式である場合に請求項１または２に記載の発明を適用することは、請求項１または２記載の発明による効果をより好適に発揮できる。
【００１７】
請求項４に記載の発明によれば、ブラケット板上の空間をトンネル通路として有効に利用することが出来るので、ブラケット板とは別の部材でトンネル通路壁面を構成する場合に比べて第１入球ユニットの大型化を抑制することができ、ひいては、請求項１の効果をより一層発揮することができる。
【発明を実施するための最良の形態】
【００１８】
以下に、本発明の好適な各実施形態について図面を参照して説明する。尚、本発明の実施の形態は、下記の実施形態に何ら限定されるものではなく、本発明の技術的範囲に属する限り種々の形態を採り得ることは無論である。
【００１９】
（第１実施形態）
図１は本実施形態のパチンコ機（弾球遊技機）１の正面図であり、該図１に示す通り、パチンコ機１は、大きくは長方形の外枠（図示せず）と前面枠３とからなり、外枠の左隣に公知のカードリーダ（プリペイドカードユニット）４が設けられている。前面枠３は、左端上下のヒンジにより外枠に対し回動可能に取り付けられている。前面枠３の下方には球貯留部を備えた上皿６が設けられ、賞球或いは貸球のための図示しない排出口と球抜き釦とを備えている。上皿６と下皿１２とは連結されていて、上皿６が遊技球で満杯状態になれば下皿１２に遊技球を誘導するよう構成されている。
【００２０】
上皿６の前面枠３下部には、球貯留部を備えた下皿１２が設けられ、下皿１２の右側には発射ハンドル１３が取り付けられている。この発射ハンドル１３は、回動リング（タッチプレート）１３ａと発射停止釦（図示せず）を備え、回動リング１３ａに手が触れることを条件に、この回動リング１３ａを時計方向に回動すると、発射ハンドル１３の内部に設けたタッチスイッチ１３ｃ（図３参照）がＯＮされ、遊技球を遊技盤１１上に発射することができる。これは、タッチ信号がスイッチの導通により出力され、後述する主制御基板３９に入力され、発射制御基板５１ａで発射駆動信号に変換され、発射装置５１を駆動させるものである。
【００２１】
次に図２を用いて遊技盤１１について説明する。図２は第１種タイプのパチンコ機１から取り外した状態の遊技盤１１を示す正面図である。遊技盤１１の外形はほぼ矩形であり、その前面には外レール１１ｂと内レール１１ｃとによって囲まれた略円形の遊技領域１４が形成されている。なお、遊技釘が遊技領域１４の各所に植設されている。
【００２２】
遊技盤１１には、遊技領域１４の中央部にＬＣＤパネルユニット（以下、「ＬＣＤ」という。）等を有し動画表示を行うセンター表示装置４１が配置されている。そして、センター表示装置４１には装飾部４１ｆが備えられ、センター表示装置４１の上方には特別図柄保留数表示装置４３が左右方向に並べて設けられ、特別図柄保留数表示装置４３の左右には特別図柄表示装置５８が備えられている。
【００２３】
また、装飾部４１ｆの円形の外延に沿って、右上部に普通図柄保留数表示装置４２、左上部に普通図柄表示装置５７、普通図柄保留数表示装置４２および普通図柄表示装置５７の下方にワープ通路入口４４ａ，４４ｂ、装飾部４１ｆの最下部にワープ通路出口４４ｃが設けられている。また、装飾部４１ｆの左右隣には普通図柄始動口５２が、普通図柄始動口５２の下方に風車６６が各々設けられている。
【００２４】
センター表示装置４１の直下近傍には、羽根部材（第１可変部材）５３ａ，５３ｂを有するチューリップ式の普通電動役物（第１入球ユニット）５３が備えられ、該普通電動役物５３の直下近傍に同じく羽根部材（第２可変部材）５４ａ，５４ｂを有するチューリップ式の大入賞口（第２入球ユニット）５４が備えられており、普通電動役物５３と大入賞口５４とが個別のユニットとして、近接して上下に並んで配置されている。
【００２５】
大入賞口５４は羽根部材５４ａ，５４ｂが閉じた状態では、遊技球は普通電動役物５３が障害となり大入賞口５４に入球できず、また羽根部材５４ａ，５４ｂが開いた状態では、遊技球が大入賞口５４内に入球することが可能となる。
【００２６】
遊技領域１４のうち内レール１１ｃ沿いには一般入賞口６２が配されており、内レール１１ｃの最下部に対応する部分には、アウト穴６３が開口している。
【００２７】
続いて前述したパチンコ機１の電気的構成を図３のブロック図を用いて説明する。パチンコ機１の電気回路は、図示する通り、前述した主制御基板３９、賞球制御基板４０、演出制御基板４１ｂ、発射制御基板５１ａ、ランプ制御基板４５及び音制御基板４６等から構成されている。尚、この回路図には、信号の受け渡しを行うための所謂中継装置などは記載していない。
【００２８】
主制御基板３９は、遊技制御プログラムを記憶したＲＯＭ、演算等を行うＣＰＵ、演算等の作業領域として働くＲＡＭ等を内蔵した８ビットワンチップマイコンを中心とした論理演算回路として構成され、この他各基板又は各種スイッチ類および各種アクチュエータ類との入出力を行うための外部入出力回路も設けられている。主制御基板３９の入力側には、満タンスイッチ４８ａ、球切れスイッチ８２、普通図柄始動口スイッチ５２ｄ、特別図柄始動口スイッチ５３ｄ、カウントスイッチ５４ｄ、一般入賞口スイッチ６２ａ等が接続されている。
【００２９】
また、主制御基板３９の出力側には、普通図柄保留数表示装置４２、特別図柄保留数表示装置４３、普通役物ソレノイド５３ｃ、大入賞口ソレノイド５４ｃ、普通図柄表示装置５７、外部接続端子基板９０が接続されている。
【００３０】
満タンスイッチ４８ａは下皿１２内、球切れスイッチ８２は球タンク内、普通図柄始動口スイッチ５２ｄは普通図柄始動口５２内、特別図柄始動口スイッチ５３ｄは普通電動役物５３内、カウントスイッチ５４ｄは大入賞口５４内、一般入賞口スイッチ６２ａは一般入賞口６２に、各々取り付けられている。
【００３１】
ここで、満タンスイッチ４８ａは下皿１２内に遊技球が満タン状態になったことを、球切れスイッチ８２は球タンク（図示略）内に遊技球が存在しないことを、普通図柄始動口スイッチ５２ｄは普通図柄始動口５２に遊技球が入球したことを、特別図柄始動口スイッチ５３ｄは普通電動役物５３に遊技球が入球したことを、カウントスイッチ５４ｄは大入賞口５４内に入賞する全ての遊技球を、一般入賞口スイッチ６２ａは一般入賞口６２に入賞したことを、各々検出するためのものである。
【００３２】
また、主制御基板３９の出力側に接続された大入賞口ソレノイド５４ｃは大入賞口５４内に、普通役物ソレノイド５３ｃは普通電動役物５３内に、各々取り付けられている。大入賞口ソレノイド５４ｃは大入賞口５４の羽根部材５４ａ，５４ｂを開閉作動するためのものであり、普通役物ソレノイド５３ｃは普通電動役物５３の羽根部材５３ａ，５３ｂを開閉作動するためのものである。
【００３３】
賞球制御基板４０は、出力側に球切りモータ４０ｂ、外部接続端子基板９０が接続され、入力側に賞球払い出しスイッチ４０ｃが接続されている。またプリペイドカードユニット４およびＣＲ精算表示装置１６が双方向通信可能に接続されている。
【００３４】
賞球制御基板４０は、主制御基板３９からの指令コマンドに従って球切りモータ４０ｂを駆動制御して入賞があった場合に遊技者に賞球としての遊技球を払い出すと共に、前述したプリペイドカードユニット４およびＣＲ精算表示装置１６等も制御するものであり、マイクロコンピュータを用いた論理演算回路として構成しても良いし、ディスクリートな回路として構成しても良い。
【００３５】
賞球制御基板４０は主制御基板３９からの指令に従って遊技球を払い出すが、入賞に対応した遊技球が払い出されているか否かの検知は主制御基板３９で行われる。この遊技球が払い出されているか否かの検知は、主制御基板３９および賞球制御基板４０の双方で行っても良い。
【００３６】
発射制御基板５１ａは、遊技者が操作する発射ハンドル１３の回動量に応じて発射モータ５１ｂを駆動制御するものであり、その他遊技者が発射停止スイッチ５１ｃを押下したとき発射を停止させたり、発射ハンドル１３に内蔵されたタッチスイッチ１３ｃがオン状態のときタッチランプ１３ｄを点灯させるためのものである。ここで、タッチスイッチ１３ｃは発射ハンドル１３に内蔵され、遊技者が発射ハンドル１３に触れていることを検知するためのもので、検知情報は発射制御基板５１ａに入力される。
【００３７】
センター表示装置４１は、動画表示部としてのＬＣＤ４１ａと、該ＬＣＤ４１ａを駆動制御する演出制御基板４１ｂとから構成されており、ＬＣＤ４１ａは、ＴＦＴ基板、ＣＦ基板、画像信号に応じた所定の電圧を印加するコントローラ等からなる液晶パネル、およびバックライト等から構成されている。演出制御基板４１ｂは、３２ビットワンチップマイコンを中心とした論理演算回路として構成されている。
【００３８】
ランプ制御基板４５は主としてトランジスタ等の駆動素子から構成されており、主制御基板３９からの指令を受けて賞球および貸球の払出表示、当たり表示、球不足表示およびエラー表示等を行う各種ＬＥＤ８４、各種ランプ８５等を点灯報知させるためのものである。
【００３９】
音制御基板４６は音源ＩＣ及びアンプ等から構成されており、主制御基板３９の指令を受けてスピーカ１５を駆動制御するためのものである。
【００４０】
上記パチンコ機１の構成により、発射された遊技球が遊技領域１４を流下し、あるいはワープ通路入口４４ａ，４４ｂから装飾部４１ｆ内に入球した遊技球が、装飾部４１ｆ内に設けられたステージ上に導かれた後ワープ通路出口４４ｃから排出され、第１種始動口としての普通電動役物５３に入賞すると特別図柄始動口スイッチ５３ｄにより検出され、特別図柄表示装置５８に表示される特別図柄を所定時間変動表示した後に静止表示するよう働く。そして、抽出された乱数値が所定値であれば、画面の特別図柄表示領域に予め定められた特定図柄、例えば「７７７」等の３桁同一図柄を表示して、遊技者に大当たりが発生したことを報知する処理が実行される。
【００４１】
また、センター表示装置４１に表示される表示内容は、特別図柄（例えば「７７７」等）を表示しないで、キャラクタを表示する構成としてもよい。なお、先行する図柄の変動中には、普通図柄始動口５２および普通電動役物５３に入賞しても図柄の変動表示を開始できず、また特別遊技中には図柄の変動表示を行わない。そうしたタイミングで普通図柄始動口５２および普通電動役物５３に入賞した場合は、上限個数（例えば４個）まで保留記憶として保持し、それを普通図柄保留数表示装置４２および特別図柄保留数表示装置４３によって表示して、先行する図柄の変動が終了してから或いは特別遊技が終了してから図柄変動が行われる。
【００４２】
大当たり状態となると、大入賞口５４が所定時間（例えば約３０秒間）又は遊技球が所定個数（例えば１０個）入賞したことがカウントスイッチ５４ｄにより検出されるまでいずれか早く経過する時まで開放され（羽根部材５４ａ，５４ｂが拡大動作され）、一旦大入賞口５４が閉鎖された（羽根部材５４ａ，５４ｂが縮小動作された）後に再び開放され、この開放動作を最大１６回繰り返す。通常、遊技球１個の入賞に対して１５個の遊技球が賞球として払い出すよう構成しているので、１回の大当たり状態が発生すると、約２４００（＝１５×１０×１６）個の遊技球を賞球として獲得することができる。ここで、本実施形態では、大入賞口５４内に入賞した遊技球が特別領域を通過したことを検出するスイッチ（Ｖスイッチ）を廃止した構成にしているが、該スイッチを備える構成としてもよい。
【００４３】
次に、センター表示装置４１の下方に上下に並んで設けられている普通電動役物５３および大入賞口５４の構成について、図４（普通電動役物５３および大入賞口５４の正面図），図５（普通電動役物５３および大入賞口５４の断面図）および図６（普通電動役物５３の正面図）を用いて詳細に説明する。
【００４４】
普通電動役物５３は主に、普通電動役物５３を遊技盤１１に固定するための第１ブラケット板７０と、可動部材である一対の羽根部材（第１可変部材）５３ａ，５３ｂと、羽根部材５３ａ，５３ｂの前面を覆う本体部７３と、アクチュエータ７７（普通役物ソレノイド５３ｃ）と、普通電動役物５３に入球した遊技球を検出する特別図柄始動口スイッチ５３ｄとから構成されている。
【００４５】
普通電動役物５３は、遊技盤１１の開口部（第１開口部）７８に嵌め込まれるとともに、第１ブラケット板７０を遊技盤１１にネジ７０ａ，７０ｂで締結することにより遊技盤１１に固定される。第１ブラケット板７０は、遊技盤１１の表面に面接触しており、第１ブラケット板７０の下位部には遊技球を遊技盤１１の裏面に導く通路７６の入口となる始動口７２が設けられ、第１ブラケット板７０の上位部には遊技球を始動口（第１入球口）７２に導く導入口７１が設けられている。
【００４６】
羽根部材５３ａ，５３ｂの回転軸７９は、本体部７３によって回転可能に支持されており、アクチュエータ７７が図５の左右方向に動くことによって、リンク部材８０がその動力を羽根部材５３ａ，５３ｂの突起部分８１に伝達し、羽根部材５３ａ，５３ｂが回転軸７９を軸として始動口７２の開口幅を拡大縮小させる動作を行う。
【００４７】
羽根部材５３ａ，５３ｂの回転軸７９の下方に位置し、かつ本体部７３上の左右斜め下の位置には、遊技盤１１の表面に沿って延び、大入賞口５４の入球口９２に向かって遊技球が通過できるトンネル通路７４，７５が本体部７３と一体となって形成されている。トンネル通路７４，７５は合成樹脂で成形されており、本体部７３および第１ブラケット板７０はトンネル通路７４，７５を構成する壁面の一部として機能している。また、トンネル通路７４，７５を構成する壁面（本体部７３および第１ブラケット板７０で構成された壁面以外）は、嵌め込みもしくはネジ等により第１ブラケット板７０または本体部７３に係止または固定されている。
【００４８】
また、トンネル通路７４，７５内を遊技者が視認可能となるように、トンネル通路７４，７５壁面にスリット（透視窓）７４ａ，７５ａを遊技球の流下方向と垂直に設けている。ここで、スリット７４ａ，７５ａの延びる向きは遊技球の流下方向と垂直に設ける構成であってもよいし、遊技球の流下方向と平行、斜め等に設けても構わない。また、スリット７４ａ，７５ａを設けずに、トンネル通路７４，７５の壁面を構成する材質を透明性の高い材質とすることで内部を視認可能としてもよい。
【００４９】
また、遊技球は図５矢印の経路Ｅに沿って、導入口７１から普通電動役物５３内に入り、始動口７２を通過して通路７６を通り、遊技盤１１後方に排出される。
【００５０】
また、大入賞口５４は主に、大入賞口５４を遊技盤１１に固定するための第２ブラケット板９１と、可動部材である一対の羽根部材（第２可変部材）５４ａ，５４ｂと、羽根部材５４ａ，５４ｂの前面を覆う本体部９３と、アクチュエータ９７（大入賞口ソレノイド５４ｃ）と、大入賞口５４に入球した遊技球を検出するカウントスイッチ５４ｄとから構成されている。
【００５１】
大入賞口５４は、遊技盤１１の開口部９８に嵌め込まれるとともに、第２ブラケット板９１を遊技盤１１にネジ９１ａ〜９１ｄで締結することにより遊技盤１１に固定される。第２ブラケット板９１は、遊技盤１１の表面に面接触しており、第２ブラケット板９１の下位部には遊技球を遊技盤１１の裏面に導く通路９６の入口となる入球口（第２入球口）９２が設けられている。
【００５２】
羽根部材５４ａ，５４ｂの回転軸９９は、本体部９３によって回転可能に支持されており、アクチュエータ９７が図５の左右方向に動くことによって、リンク部材９５がその動力を羽根部材５４ａ，５４ｂの突起部分９４に伝達し、羽根部材５４ａ，５４ｂが回転軸９９を軸として入球口９２の開口幅を拡大縮小させる動作を行う。
【００５３】
また、流下してきた遊技球（矢印Ｆａ，Ｆｂ）は矢印Ｆｃの経路に沿って，入球口９２を通過し通路９６を通り、遊技盤１１後方に排出される。
【００５４】
なお、前記入球口７２は特許請求の範囲に記載の第１入球口に相当し、前記羽根部材５３ａ，５３ｂは特許請求の範囲に記載の第１可変部材に、前記入球口９２は特許請求の範囲に記載の第２入球口に、前記羽根部材５４ａ，５４ｂは特許請求の範囲に記載の第２可変部材に、前記スリット７４ａ，７５ａは特許請求の範囲に記載の透視窓に、前記開口部７８は特許請求の範囲に記載の第１開口部に相当する。
【００５５】
図７は、遊技盤１１に設けられた普通電動役物５３、大入賞口５４およびその周辺の拡大図である。図１６で説明したように、普通電動役物５３の開口幅Ｌ１は、羽根部材５３ａ、５３ｂを最大に開いた際の羽根先端部を結ぶ直線距離として計測され、その大きさは４７．３ｍｍであり、また、大入賞口５４の開口幅Ｌ２は、釘Ｋ１および釘Ｋ２の内側寸法として計測され、その大きさは６２．６ｍｍであって、各々の大きさは規則に規定された範囲内となっている。
【００５６】
また、普通電動役物５３の左右斜め下に設けられている釘Ｋ１´，Ｋ２´は、遊技球が大入賞口５４に直接衝突することによって大入賞口５４が破損することを防止している。なお、遊技領域１４の各所に植設されている遊技釘は、図８に示すように、長さ３２．０ｍｍ，直径１．８５ｍｍの円柱状の軸Ｋａと、直径４．３ｍｍの半球状部分Ｋｂとからなり、軸Ｋａが１７．０ｍｍ突出した状態で遊技領域１４に打ち込まれている。
【００５７】
上記のように、大入賞口５４の開口幅Ｌ２が６２．６ｍｍであるのに対し、大入賞口５４に入球するために通過を余儀なくされる遊技経路Ｒ１の幅Ｌ３は１２．５ｍｍであり、該遊技経路Ｒ１は２つあるためその合計値は２５ｍｍである。しかし、普通電動役物５３には、大入賞口５４の入球口９２に向かって遊技球が通過可能なトンネル通路７４，７５が設けられており、大入賞口５４への入賞経路は遊技経路Ｒ１の他に遊技経路Ｒ２があるため、実質的な大入賞口５４への経路幅は、２つの遊技経路Ｒ１の幅Ｌ３と２つの遊技経路Ｒ２の幅Ｌ４を合計したものとなる。
【００５８】
即ち、遊技経路Ｒ２の幅Ｌ４は１３．０ｍｍであって、該遊技経路Ｒ２は２つあるためその合計値は２６ｍｍとなり、また、２つの遊技経路Ｒ１の合計値は２５ｍｍであるため、実質的な大入賞口５４への経路幅は５１．０ｍｍとなる。したがって、普通電動役物５３にトンネル通路７４，７５を設けることにより、実質的な大入賞口５４への経路幅は、大入賞口５４の開口幅Ｌ２の６２．６ｍｍと近い値となる。なお、大入賞口５４の羽根部材５４ａ，５４ｂが閉じている時は、トンネル通路７４，７５を通過した遊技球は大入賞口５４には入球できない構成とする。
【００５９】
遊技経路Ｒ３，Ｒ４（図２参照）から大入賞口５４へ入賞する遊技球の流れについて図９を用いて説明すると、遊技経路Ｒ３，Ｒ４からの大入賞口５４への入賞経路は、上記のようにトンネル通路７４，７５を通過しない経路Ｒ５，Ｒ６（図９（ａ），（ｂ））とトンネル通路７４，７５を通過する経路Ｒ７，Ｒ８（図９（ｃ），（ｄ））がある。
【００６０】
トンネル通路７４，７５を通過しない経路には、普通電動役物５３上を流下しない経路Ｒ５（右側の経路からも入賞可能）（図９（ａ））および、普通電動役物５３上を流下する経路Ｒ６（右側の経路からも入賞可能）（図９（ｂ））とがあるが、該経路Ｒ５，Ｒ６は従来の遊技機の入賞経路Ｒ５´，Ｒ６´（図１０（ａ），（ｂ））と同様の経路である。
【００６１】
また、トンネル通路７４，７５を通過する経路は、普通電動役物５３にトンネル通路７４，７５を設けることにより新たに通過可能となった経路であり、経路Ｒ７（右側の経路からも入賞可能）（図９（ｃ））および、経路Ｒ８（右側の経路からも入賞可能）（図９（ｄ））とがある。
【００６２】
したがって、従来の普通電動役物５３上を流下しない経路Ｒ５´（図１０（ａ））は、普通電動役物５３にトンネル通路７４，７５を設けることによって、従来と同じ経路の経路Ｒ５（図９（ａ））とトンネル通路７４，７５を通過する経路Ｒ７（図９（ｃ））の２つの経路を持つようになり、また同様に、従来の普通電動役物５３上を流下する経路Ｒ６´（図１０（ｂ））は、従来と同じ経路の経路Ｒ６（図９（ｂ））とトンネル通路７４，７５を通過する経路Ｒ８（図９（ｄ））の２つの経路を持つことになる。
【００６３】
以上、本実施形態においては、普通電動役物５３に、大入賞口５４の入球口９２に向けて遊技球を通過させるトンネル通路７４，７５を設ける構成としたため、大入賞口５４の入球口９２の開口幅を大きく設定したり、普通電動役物５３と大入賞口５４の間隔を大きく設定するといったことを行わずに、大入賞口５４に入賞する遊技球が通過する経路の合計を大きくし、大入賞口５４の入球口９２への集球率を高めることができる。しかも、普通電動役物５３開放時に遊技球が普通電動役物５３へ入球するための普通電動役物５３の始動口７２へ通じる遊技経路（図１７の符号Ｒ２´にて例示される遊技経路）の流下量を減少させることなく、大入賞口５４の入球口９２への集球率を高めることができる。したがって、普通電動役物５３の始動口７２への集球率を高めることと大入賞口５４の入球口９２への集球率を高めることとの両立を、遊技盤１１に配置されたセンター表示装置４１が大型化する傾向であっても容易に実現できる。さらに、普通電動役物５３と大入賞口５４との設置距離が近接し、大入賞口５４の開口幅Ｌ２と大入賞口５４に入賞する遊技球が通過する経路の合計との差が大きいほど、トンネル通路７４，７５を設けることにより大入賞口５４への集球率を高める効果を発揮することができる。
【００６４】
ところで、普通電動役物５３は、特別図柄始動口スイッチ５３ｄを内部に備えており、大入賞口５４を開放する大当たりの生起に大きく関与するため、その存在を強調するように構成することが望ましい。しかし、存在を強調するために普通電動役物５３を大型化すると、大型化した普通電動役物５３が障害となり大入賞口５４への遊技球の集球率を極端に落としてしまう。そこで、トンネル通路７４，７５を普通電動役物５３に設ける構成とすることにより、トンネル通路７４，７５を普通電動役物５３に設けない場合に比べて大入賞口５４に入賞する遊技球が通過する経路の合計を大入賞口５４の開口幅Ｌ２に近づけることができるため、大入賞口５４への集球率を極端に落とすことなく普通電動役物５３の大型化が可能となり、無理なく普通電動役物５３の存在を強調することが可能となる。
【００６５】
また、普通電動役物５３の大型化に伴って普通電動役物５３の形状を、センター表示装置４１にて表示される図柄またはキャラクタの内容と関連する形状とすることも容易に行うことができる。より具体的には、例えば野球選手をキャラクタとしてセンター表示装置４１に表示させる場合には、普通電動役物５３をグローブの形状にすることなどが挙げられる。
【００６６】
また、遊技者はトンネル通路７４，７５を通過する遊技球の動きをスリット７４ａ，７５ａから目視できるため、トンネル通路７４，７５に入った遊技球の行方が大入賞口５４の入球口９２に向かうものであることを、遊技者に対して分かりやすくでき、トンネル通路７４，７５に入った遊技球が普通電動役物５３の始動口７２に導かれたと間違って見誤ることを抑制できる。
【００６７】
また、一般に、入球口の左右に１対の羽根部材を配置してなるチューリップ式と、入球口を閉塞、開放する蓋部材を配置してなるアタッカー式とでは、入球ユニットの遊技盤１１への設置スペースを同じとした場合において、チューリップ式の方が入球口の開放幅は小さくなる。よって、大入賞口５４に備えた可変部材を、羽根部材５４ａ，５４ｂにて構成されたチューリップ式としたため、上記の効果、即ち普通電動役物５３の始動口７２への集球率を高めることと大入賞口５４の入球口９２への集球率を高めることとの両立を、遊技盤１１に配置されたセンター表示装置４１が大型化する傾向であっても容易に実現でき、また、トンネル通路７４，７５に入った遊技球の行方が大入賞口５４の入球口９２に向かうものであることを、遊技者に対して分かりやすくでき、トンネル通路７４，７５に入った遊技球が普通電動役物５３の始動口７２に導かれたと間違って見誤ることを抑制できるという効果をより好適に発揮できる。
【００６８】
また、第１ブラケット板７０上の空間をトンネル通路７４，７５として有効に利用することが出来るので、第１ブラケット板７０とは別の部材でトンネル通路壁面を構成する場合に比べて普通電動役物５３の大型化を抑制することができ、ひいては、上記の普通電動役物５３の始動口７２への集球率を高めることと大入賞口５４の入球口９２への集球率を高めることとの両立を、遊技盤１１に配置されたセンター表示装置４１が大型化する傾向であっても容易に実現できるという効果をより一層発揮することができる。
【００６９】
（第２実施形態）
次に図１１〜図１５を参照して第２実施形態の弾球遊技機について説明する。第２実施形態は、第１実施形態の図２の代わりに図１１を用い、図４の代わりに図１２を用い、図５の代わりに図１３を用い、図７の代わりに図１４を用い、図９（ａ）〜（ｄ）の代わりに図１５（ａ）〜（ｄ）を用いる。第１実施形態の構成要素に対応する本実施形態の構成要素の説明は、図中の符号を１００番台として説明を援用する。
【００７０】
上記第１実施形態では、普通電動役物５３と大入賞口５４は夫々個別のユニットとして構成されている（図２等参照）。それに対して本実施形態では、普通電動役物１５３および大入賞口１５４を遊技盤１１１に固定するためのブラケット板１７０が一体に樹脂成型され、普通電動役物１５３と大入賞口１５４のユニットが一体化した構成となっている。
【００７１】
普通電動役物１５３と大入賞口１５４が一体となったユニット１００は、図１１に示すように、センター表示装置１４１の直下近傍に設けられている。ユニット１００は、図１２および図１３に示すように、普通電動役物１５３および大入賞口１５４を遊技盤１１１に固定するためのブラケット板１７０と、羽根部材１５３ａ，１５３ｂの前面を覆う普通電動役物１５３の本体部１７３と、羽根部材１５３ａ，１５３ｂの前面を覆う大入賞口１５４の本体部１９３を備えている。
【００７２】
普通電動役物１５３の本体部１７３と大入賞口１５４の本体部１９３は、普通電動役物１５３の本体部１７３を上方に、大入賞口１５４の本体部１９３を下方にして上下に並べて設けられている。また、普通電動役物１５３の本体部１７３には、大入賞口１５４の入球口１９２に向かって遊技球が通過できるトンネル通路１７４，１７５が設けられている。
【００７３】
ところで、第1実施形態では、図４および図５で示すように、普通電動役物５３の第１ブラケット板７０の最下部には、本体部７３の下端面から下方に向けて突出する突出部分７０´が存在し、大入賞口５４の第２ブラケット板９１の最上部には、突出部分７０´に向けて上方に突出する突出部分９１´が存在する。したがって、普通電動役物５３と大入賞口５４が個別のユニットである、第1実施形態の場合には、突出部分７０´，９１´が障害となって普通電動役物５３と大入賞口５４が接近する距離には限界がある。
【００７４】
因みに、第１ブラケット板７０の突出部分７０´は、第１ブラケット板７０裏面のうち、遊技球を遊技盤１１の裏面に導くための通路７６を設置するスペースを確保する機能、遊技盤１１の開口部７８のエッジ部分を覆い隠す機能、および普通電動役物５３を図５の左右方向に位置決めをするための機能を有している。第２ブラケット板９１の突出部分９１´は、大入賞口５４を開口部９８に組み付ける作業を行う等の際に、羽根部材５４ａ，５４ｂが他部材に接触しないように保護する機能を有し、羽根部材５４ａ，５４ｂの損傷防止を図っている。
【００７５】
このように突出部分７０´，９１´が存在する第1実施形態に対し、本実施形態では普通電動役物１５３と大入賞口１５４のユニットが一体化した構成であり、前記突出部分７０´，９１´を削除して、普通電動役物１５３と大入賞口１５４の距離を最大限接近させることを実現できる。なお、突出部分７０´，９１´が有する上述の各種機能のうち、覆い隠す機能、位置決めする機能、および保護する機能は、一体化されたブラケット板１７０全体により発揮される。また、上記スペースを確保する機能は、第１実施形態では有効利用されていなかったアクチュエータ９７上方の空間を利用して確保できる。
【００７６】
図１４は、遊技盤１１１に設けられた普通電動役物１５３と大入賞口１５４が一体となったユニット１００およびその周辺の拡大図である。第１実施形態と同様に、普通電動役物１５３の開口幅Ｌ１´は４７．３ｍｍ、大入賞口１５４の開口幅Ｌ２´は６２．６ｍｍである。また、遊技経路Ｒ９の幅Ｌ３´の合計値は２５ｍｍとなっている。
【００７７】
第２実施形態では、普通電動役物１５３と大入賞口１５４を一体のユニット１００として構成しているため、普通電動役物１５３と大入賞口１５４の距離を最大限接近させることができるが、普通電動役物１５３が覆いとなって、大入賞口１５４への経路幅が、普通電動役物１５３と大入賞口１５４が個別のユニットでかつ普通電動役物１５３にトンネル通路１７４，１７５を備えていない場合と比べて小さくなる。
【００７８】
しかし、普通電動役物１５３にはトンネル通路１７４，１７５が備えられているため、普通電動役物１５３と大入賞口１５４が個別のユニットでかつ普通電動役物１５３にトンネル通路１７４，１７５を備えていない場合（図１６参照）と比べて、実質的な大入賞口１５４への経路幅は大きくなり（または維持され）、図１４に示すように、トンネル通路１７４，１７５を通過する経路Ｒ１０の幅Ｌ４´の合計値は２７．６ｍｍであり、実質的な大入賞口１５４への経路幅は５２．６ｍｍとなっている。
【００７９】
なお、ブラケット板１７０には、遊技球を誘導する樹脂ピン１８３が設けられているが、樹脂ピン１８３の代わりに入賞確率の調整が可能な遊技釘を用いるとさらに好適である。
【００８０】
遊技経路Ｒ１１，Ｒ１２（図１１参照）から大入賞口１５４へ入賞する遊技球の流れについて図１５を用いて説明する。遊技経路Ｒ１１，Ｒ１２からの大入賞口１５４への入賞経路は、第１実施形態と同様に、トンネル通路１７４，１７５を通過しない経路Ｒ１３，Ｒ１４（図１５（ａ），（ｂ））とトンネル通路１７４，１７５を通過する経路Ｒ１５，Ｒ１６（図１５（ｃ），（ｄ））がある。
【００８１】
また、第１実施形態と同様に、トンネル通路１７４，１７５を通過しない経路には経路Ｒ１３（右側の経路からも入賞可能）（図１５（ａ）），経路Ｒ１４（右側の経路からも入賞可能）（図１５（ｂ））の２つの経路パターンがあり、トンネル通路１７４，１７５を通過する経路にも経路Ｒ１５（右側の経路からも入賞可能）（図１５（ｃ）），経路Ｒ１６（右側の経路からも入賞可能）（図１５（ｄ））の２つの経路パターンがある。
【００８２】
したがって、従来、遊技経路Ｒ１１，Ｒ１２から大入賞口１５４への入賞経路は経路Ｒ１３および経路Ｒ１４のみであったが、普通電動役物１５３にトンネル通路１７４，１７５を設けることによって、経路Ｒ１５および経路Ｒ１６を遊技球は通過できるようになる。
【００８３】
ここで、トンネル通路を有しない従来構造において、普通電動役物と大入賞口を一体のユニットとして構成すると、普通電動役物と大入賞口を最大限接近させることにより、普通電動役物が覆いとなり大入賞口に入賞する経路の合計値の縮小といった問題がより顕著になる。そこで、本実施形態の如く、普通電動役物１５３と大入賞口１５４を一体のユニット１００として構成した弾球遊技機においてトンネル通路１７４，１７５を設けるようにすることは、実質的な大入賞口１５４への経路幅を大きくできるといったトンネル通路１７４，１７５による効果がより効果的に発揮されることとなり、好適である。
【００８４】
また、普通電動役物１５３と大入賞口１５４を一体のユニット１００として構成したため、普通電動役物１５３および大入賞口１５４の脱着が容易になる。また、ユニットを嵌め込むための遊技盤１１１の開口部７８，９８は、ユニットの嵌め込まれる部分よりも大きく、その分嵌め込んだ時にあそびが生じるため、取付けの際に普通電動役物１５３と大入賞口１５４の位置関係が変わってしまうことが起き得るが、普通電動役物１５３と大入賞口１５４を一体のユニット１００とすることで、位置関係の変化を防止することができる。
【００８５】
また、普通電動役物１５３と大入賞口１５４を一体のユニット１００として構成したため、普通電動役物５３または大入賞口５４が別個のユニットである場合に比べて、普通電動役物１５３および大入賞口１５４（のユニット１００の表面積）が大型化され、遊技領域１１４に設けられた普通電動役物１５３および大入賞口１５４の存在を強調することができるという第１実施形態と同様な効果も奏する。
【００８６】
また、普通電動役物１５３および大入賞口１５４（のユニット１００の表面積）を大型化することで、ユニット１００の形状を、センター表示装置１４１にて表示される図柄またはキャラクタの内容と関連する形状とすることも容易に行うことができるという第１実施形態と同様な効果を奏する。
【００８７】
（他の実施形態）
上記各実施形態では、センター表示装置４１の直下近傍に普通電動役物５３，１５３を、該普通電動役物５３，１５３の直下近傍に大入賞口５４，１５４を備える構成であるが、普通電動役物５３と大入賞口５４との位置を上下反対に設置する構成、つまりセンター表示装置４１の直下近傍に大入賞口５４，１５４を、該大入賞口５４，１５４の直下近傍に普通電動役物５３，１５３を備える構成とすることが挙げられる。
【００８８】
また、普通電動役物５３，１５３と大入賞口５４，１５４のうち下方へ位置する方を、始動口を開閉する蓋部材を有するアタッカー式としてもよい。即ち、上記各実施形態のように、センター表示装置４１の直下近傍に普通電動役物５３，１５３を、該普通電動役物５３，１５３の直下近傍に大入賞口５４，１５４を備える構成の場合、大入賞口５４，１５４の構成はチューリップ式とは限らず、始動口を開閉する蓋部材を有するアタッカー式としてもよい。さらに、上記他の実施形態のように、センター表示装置４１の直下近傍に大入賞口５４，１５４を、該大入賞口５４，１５４の直下近傍に普通電動役物５３，１５３を備える構成の場合、普通電動役物５３，１５３をアタッカー式としてもよい。
【００８９】
ここで、アタッカー式である場合には、蓋部材が閉じた状態では普通電動役物５３，１５３および大入賞口５４，１５４内に蓋部材が収納されることにより普通電動役物５３，１５３および大入賞口５４，１５４の上を遊技球が通過し、蓋部材が開いた状態では蓋部材は普通電動役物５３，１５３および大入賞口５４，１５４の下端にて突出し、遊技球が普通電動役物５３，１５３および大入賞口５４，１５４内に取り込まれることとなる。そして、該アタッカー式の場合には、大入賞口５４，１５４を蓋部材が開閉することが、特許請求の範囲に記載の「開口幅を拡大縮小させる」ことに相当する。
【００９０】
また、上記各実施形態では、センター表示装置４１の下方に普通電動役物５３，１５３および大入賞口５４，１５４を備える構成であるが、センター表示装置４１の上方に普通電動役物５３，１５３および大入賞口５４，１５４を備える構成とすることが挙げられる。なお、センター表示装置４１の上方に普通電動役物５３，１５３および大入賞口５４，１５４を備える構成である場合にも、上記他の実施形態の構成（普通電動役物５３，１５３と大入賞口５４，１５４の位置関係およびチューリップ式，アタッカー式等）としてもよい。
【００９１】
また、上記各実施形態では、トンネル通路７４，７５，１７４，１７５壁面に透視窓としてスリット７４ａ，７５ａ，１７４ａ，１７５ａを設ける構成であるが、遊技者がトンネル通路７４，７５，１７４，１７５内を視認可能となればよいため、トンネル通路７４，７５，１７４，１７５壁面の材質を透明性の材質として構成してもよい。
【図面の簡単な説明】
【００９２】
【図１】本発明を採用したパチンコ機１の正面図である。
【図２】第１実施形態に係るパチンコ機１の遊技盤１１の構成を示す正面図である。
【図３】第１実施形態に係るパチンコ機１の電気的構成を示したブロック図である。
【図４】第１実施形態に係る普通電動役物５３および大入賞口５４の正面図である。
【図５】第１実施形態に係る普通電動役物５３および大入賞口５４の断面図である。
【図６】第１実施形態に係る普通電動役物５３の拡大図である。
【図７】第１実施形態に係るパチンコ機１の遊技盤１１の一部拡大図である。
【図８】遊技領域１４に植設されている遊技釘の拡大図である。
【図９】（ａ），（ｂ），（ｃ），（ｄ）は、第１実施形態に係る大入賞口５４への入賞経路を示す遊技盤１１の一部拡大図である。
【図１０】（ａ），（ｂ）は、従来のパチンコ機の大入賞口への入賞経路を示す遊技盤の一部拡大図である。
【図１１】第２実施形態に係るパチンコ機１０１の遊技盤１１１の構成を示す正面図である。
【図１２】第２実施形態に係る普通電動役物１５３および大入賞口１５４の正面図である。
【図１３】第２実施形態に係る普通電動役物１５３および大入賞口１５４の断面図である。
【図１４】第２実施形態に係るパチンコ機１０１の遊技盤１１１の一部拡大図である。
【図１５】（ａ），（ｂ），（ｃ），（ｄ）は、第２施形態に係る大入賞口１５４への入賞経路を示す遊技盤１１１の一部拡大図である。
【図１６】従来のパチンコ機の遊技盤の一部拡大図である。
【図１７】従来のパチンコ機の遊技盤の正面図である。
【符号の説明】
【００９３】
１…パチンコ機 １１…遊技盤 １４…遊技領域
１５…スピーカ ３９…主制御基板 ４０…賞球制御基板
４１…センター表示装置 ４１ｂ…演出制御基板
４４ａ，４４ｂ…ワープ通路入口 ４４ｃ…ワープ通路出口
４５…ランプ制御基板 ４６…音制御基板 ５１ａ…発射制御基板
５２…普通図柄始動口 ５３…普通電動役物（第１入球ユニット）
５３ａ，５３ｂ，５４ａ，５４ｂ…羽根部材（第１可変部材，第２可変部材）
５４…大入賞口（第２入球ユニット） ９０…外部接続端子基板
７０…第１ブラケット板（ブラケット板） ７０ａ，７０ｂ…ネジ
７２…始動口（第１入球口） ７３，９３…本体部
７４，７５…トンネル通路 ７４ａ，７５ａ…スリット
９２…入球口（第２入球口）
【図１】
2006149529.tif 000003
【図２】
2006149529.tif 000004
【図３】
2006149529.tif 000005
【図４】
2006149529.tif 000006
【図５】
2006149529.tif 000007
【図６】
2006149529.tif 000008
【図７】
2006149529.tif 000009
【図８】
2006149529.tif 000010
【図９】
2006149529.tif 000011
【図１０】
2006149529.tif 000012
【図１１】
2006149529.tif 000013
【図１２】
2006149529.tif 000014
【図１３】
2006149529.tif 000015
【図１４】
2006149529.tif 000016
【図１５】
2006149529.tif 000017
【図１６】
2006149529.tif 000018
【図１７】
2006149529.tif 000019